(57)【特許請求の範囲】
【請求項１】
一面が開口する箱体と、この箱体内に収納される内器ブロックと、箱体の両端近傍で各々箱体に対して開閉自在に枢支され、互いの反枢支側の端部を突き合わせた状態で箱体の開口を閉じる一対の扉とを備えた分電盤において、一方の扉の反枢支側端部に、箱体側に設けられる被係止部に係止する引掛突起を設けるとともに、他方の扉の反枢支側端部に、一対の扉を閉じた状態で少なくとも引掛突起が貫通する貫通孔を有する舌片を設けたことを特徴とする分電盤。
【請求項２】
引掛突起の基端に、貫通孔と略同径に形成され貫通孔と係合する係合部を設けたことを特徴とする請求項１記載の分電盤。
【請求項３】
一方の扉の反枢支側の端面から箱体側に垂下される縁片を設け、この縁片に取着される止め具に引掛突起を一体に形成するとともに、この止め具の少なくとも一部を扉の内側面に当接させたことを特徴とする請求項１又は２記載の分電盤。
【発明の詳細な説明】
【０００１】
【発明の属する技術分野】
本発明は、箱体の開口を塞ぐ一対の扉を箱体の両端近傍で各々箱体に対して開閉自在に枢支した、所謂観音開き式の分電盤に関するものである。
【０００２】
【従来の技術】
この種の分電盤として、実開昭６０−１３２１１２号公報に記載されたものがある。このものは、一面が開口する箱体の開口面両端近傍で一対の扉を各々枢支し、各扉の反枢支側端部（枢支された端部に対向する端部）を突き合わせた状態で箱体の開口を閉じている。
【０００３】
一方の扉には、箱体側に設けられる被係止部に係止する引掛突起がその反枢支側端部近傍に設けられ、他方の扉には、相手側の扉の反枢支側端部の背面側に臨む舌片がその反枢支側端部に突設されている。而して、２枚の扉を閉じた状態では、一方の扉の反枢支側端部が他方の扉の舌片に前方から重なるように位置しており、一方の扉の引掛突起を箱体側の被係止部に係止することで、両方の扉が開かない構造になっている。
【０００４】
【発明が解決しようとする課題】
ところで上記従来例では、一方の扉に設けた引掛突起が他方の扉に設けた舌片に干渉しないように、引掛突起を扉の反枢支側端面からやや枢支点寄りに設けてある。このため、引掛突起による一方の扉の固定位置が他方の扉の舌片から離れてしまい、両方の扉の突き合わせ側（反枢支側）の端部が箱体から浮き上がり易くなって、扉を安定して閉じておくことができないという問題があった。
【０００５】
本発明は上記問題に鑑みて為されたものであり、その目的とするところは、一対の扉を箱体に対して安定して閉じておくことが可能な分電盤を提供することにある。
【０００６】
【課題を解決するための手段】
請求項１の発明は、上記目的を達成するために、一面が開口する箱体と、この箱体内に収納される内器ブロックと、箱体の両端近傍で各々箱体に対して開閉自在に枢支され、互いの反枢支側の端部を突き合わせた状態で箱体の開口を閉じる一対の扉とを備えた分電盤において、一方の扉の反枢支側端部に、箱体側に設けられる被係止部に係止する引掛突起を設けるとともに、他方の扉の反枢支側端部に、一対の扉を閉じた状態で少なくとも引掛突起が貫通する貫通孔を有する舌片を設けたことを特徴とし、舌片との干渉を考慮する必要がなく、引掛突起を他方の扉にできるだけ近い位置に設けることができ、そのため、両方の扉の突き合わせ側（反枢支側）の端部が箱体から浮き上がり難くなって、扉を安定して閉じておくことが可能となる。
【０００７】
請求項２の発明は、請求項１の発明において、引掛突起の基端に、貫通孔と略同径に形成され貫通孔と係合する係合部を設けたことを特徴とし、引掛突起の係合部を舌片の貫通孔に係合させることで扉のがたつきを防止することができる。請求項３の発明は、請求項１又は２の発明において、一方の扉の反枢支側の端面から箱体側に垂下される縁片を設け、この縁片に取着される止め具に引掛突起を一体に形成するとともに、この止め具の少なくとも一部を扉の内側面に当接させたことを特徴とし、扉に対する引掛突起の取付位置が安定し、引掛突起を舌片の貫通孔に貫通させ易くなる。
【０００８】
【発明の実施の形態】
以下、図１〜図５を参照して本発明の実施形態を詳細に説明する。
図１は本実施形態の分電盤を示す分解斜視図である。この分電盤は住宅の壁面等に埋込又は露出して配設されるもので、前面が開口し壁面等に埋設又は露出して配設される箱体３０と、この箱体３０内に収納される内器ブロック５０と、箱体３０の開口を開閉自在に塞ぐ、所謂観音開き式の一対の扉１ａ，１ｂとで構成され、先行配線された電線が箱体３０の側壁に設けられたノックアウト部３１を打ち抜いて形成される通線孔を通して箱体３０内に導入されて内器ブロック５０に電気的に接続される。なお、箱体３０及び両扉１ａ，１ｂは鉄板等の金属製板材を加工して形成される。
【０００９】
内器ブロック５０は、例えば単相３線用の主幹開閉器５１と複数の分岐開閉器５２とを備え、主幹開閉器５１は上下一対のフレーム５３の長手方向の一端で上下フレーム５３を跨ぐように固定されて電線に接続され、分岐開閉器５２は各フレーム５３に横方向に並べて固定される。なお、主幹開閉器５１と各分岐開閉器５２とは帯板状の３本の導電バー（図示せず）によって電気的に接続され、各分岐開閉器５２と導電バーとの接続箇所が絶縁カバー５４によって覆われる。
【００１０】
このように構成される内器ブロック５０は以下のようにして箱体３０内に収納固定される。すなわち、箱体３０の底面に固定された固定板３２の両端にそれぞれ短冊形の支持部材３３を固定ねじ３４によって固定し、各支持部材３３の長手方向両端に設けたねじ孔３３ａに予め締結してあるねじ３５の頭部を、上下フレーム５３の両端に設けただるま孔５３ａに挿通し、このねじ３５を締め付けることで内器ブロック５０を支持部材３３及び固定板３２により箱体３０内に固定する。
【００１１】
一方、箱体３０内における内器ブロック５０の前面は蓋体４０で覆われ、蓋体４０に設けた窓孔４１，４２を通して主幹開閉器５１のハンドル５１ａと分岐開閉器５２のハンドル５２ａとが突出する。この蓋体４０の長手方向両端部には、支持部材３３の長手方向両端外側に一端部がねじ固定された取付部材４４の他端側に突設された爪４４ａが係止される係止孔４３が設けてあり、爪４４ａを係止孔４３に係止することで蓋体４０が取付部材４４に取り付けてある。
【００１２】
ところで、各扉１ａ，１ｂの一端部は、矩形枠状に形成された枠体２０の長手方向一端部に各々枢支部２１，２１によって回動自在に枢支され、この枠体２０が取付ねじ２２によって箱体３０の前面に取り付けられており、これにより箱体３０の前面が２枚の扉１ａ，１ｂによって観音開き式に開閉自在に塞がれるものである。なお、以下では説明を簡単にするために分電盤を前面側から見て右側の扉を右扉１ａ、左側の扉を左扉１ｂと便宜上呼ぶことにする。但し、扉１ａ，１ｂの構造を左右入れ換えてもよいことは言うまでもない。
【００１３】
図１及び図２に示すように、右扉１ａの反枢支側端面（枢支部２１により枠体２０に枢支されている側の端面と対向する端面をいう。以下同じ）には箱体３０側に垂下される縁片２が設けてある。さらに、この縁片２の両端部には、後述するように被係止部材６０に係止固定される引掛突起１１が合成樹脂により一体に形成された止め具１０が取り付けてある。
【００１４】
この止め具１０は図２に示すように引掛突起１１の基端に係合部１２が一体に形成されている。この係合部１２には孔１２ａが貫通されており、右扉１ａの縁片２端部に穿孔された鋲挿通孔２ａから挿通した固定鋲３をこの孔１２ａに貫通し、二股に先割れした固定鋲３の先端部を孔１２ａの周縁に係止することにより、固定鋲３によって止め具１０が右扉１ａの縁片２に取り付け固定してある（図５参照）。また、係合部１２の両側端部には断面略扇形の耳部１２ｂが突設してあり、止め具１０を縁片２に取り付けた状態では、耳部１２ｂの上面が右扉１ａの内側面に当接させてある。このように引掛突起１１を右扉１ａに取り付けた止め具１０と一体形成するとともに止め具１０の一部を右扉１ａの内側面に当接させているので、右扉１ａに対する引掛突起１１の取付位置が安定し、後述するように引掛突起１１を舌片５の貫通孔６に貫通させ易くなるという利点がある。
【００１５】
一方、各止め具１０の引掛突起１１が係止する被係止部材６０は、枠体２０の長手方向に沿う両側片の略中央にそれぞれ取り付けてあり、図３及び図５に示すように枠体２０側へ突出する一対の保持片６１と、この保持片６１に連なる基片６２と、基片６２の両側端部から保持片６１と略並行に突出する断面形状略Ｌ形の一対の爪片６３とが弾性を有する合成樹脂により一体に形成されている。この保持片６１の先端部には断面略く字形の係合部６１ａが設けてある。
【００１６】
而して、被係止部材６０の前面開口６０ａから引掛突起１１を挿入すると、引掛突起１１の先端部が保持片６１の係合部６１ａに弾性係合し、これによって引掛突起１１が保持片６１によって保持される。また、右扉１ａを開く方向に引っ張れば、引掛突起１１の移動に伴って弾性を有する保持片６１が撓み、やがて引掛突起１１と保持片６１の係合部６１ａとの係合が外れて引掛突起１１が被係止部材６０から離脱する。なお、枠体２０の一側片に穿孔される取付孔２３に保持片６１と爪片６３とを挿通し、基片６２の両端部と爪片６３とで取付孔２３の周縁を挟持して、被係止部材６０が枠体２０に取り付けられる（図５参照）。
【００１７】
一方、左扉１ｂの反枢支側端面にも箱体３０側に垂下される縁片４が設けてあり、図３及び図４に示すように、この縁片４の端面から右扉１ａ側に延出する舌片５が、左扉１ｂの幅方向に渡って突設してある。さらに、この舌片５の幅方向両端部が他の部分よりも右扉１ａ側へ突出するように幅広に形成されており、この幅広に形成された舌片５の部位にはその厚み方向に貫通する略矩形の貫通孔６が設けてある。なお、この貫通孔６の径（寸法）は止め具１０の係合部１２と略同径（略同寸法）に設定してある。
【００１８】
而して、扉１ａ，１ｂを閉じる場合には、図３に示すように左扉１ｂの方を先（箱体３０に近い側）にして左扉１ｂの舌片５に設けた各貫通孔６に、右扉１ａに取り付けた止め具１０の引掛突起１１及び係合部１２を挿通するようにして閉じる。そして、貫通孔６を介して引掛突起１１を被係止部材６０に係止することにより、図５に示すように右扉１ａが箱体３０に固定され、左扉１ｂの舌片５が右扉１ａの縁片２の端面に規制されて開くことがない。そして、引掛突起１１が挿通される貫通孔６を左扉１ｂの舌片５に設けたため、舌片５との干渉を考慮する必要がなく、引掛突起１１を左扉１ｂにできるだけ近い位置に設けることができる。そのため、従来例に比較して両方の扉１ａ，１ｂの突き合わせ側（反枢支側）の端部が箱体３０から浮き上がり難くなって、扉１ａ，１ｂを安定して閉じておくことが可能になる。しかも、止め具１０の係合部１２が貫通孔６に嵌まり込んで係合部１２を貫通孔６に係合させているため、左右の扉１ａ，１ｂのがたつきを防止することができるという利点もある。
【００１９】
なお、右扉１ａの前面反枢支側端部近傍には図５に示すように把手７が取り付けてある。この把手７は前面が開口して内部に手が入るようになった把手本体７ａと、把手本体７ａの両端部に形成された係止部７ｂ，７ｃとを具備する。而して、扉１ａに設けた取付孔８に前面側から把手本体７ａを挿入し、一方の係止部７ｂを取付孔８の周縁に係止するとともに他方の係止部７ｃを取付孔８に隣接して設けた被係止孔９に係止して把手本体７ａが右扉１ａに固定してある。従って、扉１ａ，１ｂを開く場合には把手７に手をかけて引っ張れば、各引掛突起１１と被係合部材６０の保持片６１との係合が外れて右扉１ａを開くことができ、左扉１ｂも合わせて開くことができる。このように把手７を設けることで扉１ａ，１ｂを開く操作が容易に行えるという利点がある。
【００２０】
【発明の効果】
請求項１の発明は、一面が開口する箱体と、この箱体内に収納される内器ブロックと、箱体の両端近傍で各々箱体に対して開閉自在に枢支され、互いの反枢支側の端部を突き合わせた状態で箱体の開口を閉じる一対の扉とを備えた分電盤において、一方の扉の反枢支側端部に、箱体側に設けられる被係止部に係止する引掛突起を設けるとともに、他方の扉の反枢支側端部に、一対の扉を閉じた状態で少なくとも引掛突起が貫通する貫通孔を有する舌片を設けたので、舌片との干渉を考慮する必要がなく、引掛突起を他方の扉にできるだけ近い位置に設けることができ、そのため、両方の扉の突き合わせ側（反枢支側）の端部が箱体から浮き上がり難くなって、扉を安定して閉じておくことが可能となるという効果がある。
【００２１】
請求項２の発明は、引掛突起の基端に、貫通孔と略同径に形成され貫通孔と係合する係合部を設けたので、引掛突起の係合部を舌片の貫通孔に係合させることで扉のがたつきを防止することができるという効果がある。
請求項３の発明は、一方の扉の反枢支側の端面から箱体側に垂下される縁片を設け、この縁片に取着される止め具に引掛突起を一体に形成するとともに、この止め具の少なくとも一部を扉の内側面に当接させたので、扉に対する引掛突起の取付位置が安定し、引掛突起を舌片の貫通孔に貫通させ易くなるという効果がある。
【図面の簡単な説明】
【図１】本発明の実施形態を示す分解斜視図である。
【図２】同上の一部破断した要部分解斜視図である。
【図３】同上の一部省略した要部断面図である。
【図４】同上の一部破断した要部斜視図である。
【図５】同上の一部省略した要部断面図である。
【符号の説明】
１ａ，１ｂ  扉
２  縁片
５  舌片
６  貫通孔
１０  止め具
１１  引掛突起
１２  係合部
３０  箱体
６０  被係止部材
【図１】
0003562301.tif 000002
【図２】
0003562301.tif 000003
【図３】
0003562301.tif 000004
【図４】
0003562301.tif 000005
【図５】
0003562301.tif 000006